(57)【要約】【課題】電子メールの送信により、放送情報に係る番組の録画予約をする。【解決手段】記憶予約の入力に対応し、少なくとも該記憶予約における記憶開始時刻と記憶終了時刻を記憶予約情報として登録し、該登録に従って入力される記憶予約された放送情報に係る番組を前記放送情報記憶手段に記憶する。  受信した電子メールに含まれる放送情報の記憶予約の入力において、該記憶予約における記憶開始時刻から記憶終了時刻までの記憶時間帯が既に登録されている記憶予約情報の時間帯と重複している場合、重複している時間帯を除いた時間帯の時刻を当該記憶予約情報として登録する。【選択図】図１２
2009153218.tif 000002
【特許請求の範囲】
【請求項１】
放送情報を記憶する放送情報記憶手段と、放送情報の記憶予約処理手段と、
電子メール受信手段とを備え、前記記憶予約処理手段は、放送情報の記憶予約の入力に対応し、少なくとも該記憶予約における記憶開始時刻と記憶終了時刻を記憶予約情報として登録し、該登録に従って入力される記憶予約された放送情報に係る番組を前記放送情報記憶手段に記憶するコンテンツ記憶装置であって、
さらに、前記記憶予約処理手段は、前記電子メール受信手段が受信した電子メールに含まれる放送情報の記憶予約の入力において、該記憶予約における記憶開始時刻から記憶終了時刻までの記憶時間帯の全てが既に登録されている記憶予約情報の時間帯と重複する場合、当該電子メールに係る記憶予約の入力を記憶予約情報として登録しないことを特徴とするコンテンツ記憶装置。
【請求項２】
放送情報を記憶する放送情報記憶手段と、放送情報の記憶予約処理手段と、
電子メール受信手段とを備え、前記記憶予約処理手段は、放送情報の記憶予約の入力に対応し、少なくとも該記憶予約における記憶開始時刻と記憶終了時刻を記憶予約情報として登録し、該登録に従って入力される記憶予約された放送情報に係る番組を前記放送情報記憶手段に記憶するコンテンツ記憶装置であって、
前記記憶予約処理手段は、さらに、前記電子メール受信手段が受信した電子メールに含まれる放送情報の記憶予約の入力において、該記憶予約における記憶開始時刻から記憶終了時刻までの記憶時間帯の一部分が既に登録されている記憶予約情報の時間帯と重複している場合、当該電子メールに係る記憶予約の時間帯を前記重複している部分の時間帯を除いた時刻の記憶予約情報として登録することを特徴とするコンテンツ記憶装置。
【発明の詳細な説明】
【技術分野】
【０００１】
本発明は、地上波やＢＳやＣＳ等のテレビ番組等に代表されるテレビ放送映像を、ハードディスクやＤＶＤ等の記憶媒体に記憶するにあたって、遠隔地から電子メールを用いて映像や音声等のコンテンツを記憶するように制御するコンテンツ記憶装置遠隔操作システムに関し、特に優先度を考慮した排他制御機能を具備したコンテンツ記憶装置に関する。
【背景技術】
【０００２】
近年のマルチメディアシステムの発達によって、ユーザはテレビ番組等の動画像を簡単にパーソナルコンピュータに記憶することが可能となっている。また、番組をパーソナルコンピュータに記憶するにあたっては、パーソナルコンピュータ上の記憶媒体であるハードディスクのランダムアクセス可能な特性を利用したり、デジタル化された電子番組情報のデータを利用する等して、これまでは実現できなかった様々な番組の記憶処理が行われるようになった。
【０００３】
また、遠隔地から電子メールを用いてコンテンツ記録装置を制御するものが知られている。
例えば、特開平１０−２４７３４５号公報には、映像若しくは音声またはその両方を記録し、再生する記録再生装置を遠隔操作するための記録再生装置遠隔操作システムが開示されている。
【０００４】
図１４は、この従来の記録再生装置遠隔操作システムを示す図であり、記録再生装置６２を操作するための操作情報６４を含む電子メールを、電子メール送受信装置６１が通信回線６３を介して記録再生装置６２に送信し、記録再生装置６２は受信した電子メールに含まれる操作情報６４から記録再生装置６２の操作信号を生成し、その信号に従い記録再生装置６２の記録再生動作を制御させようとするものである。また、記録再生装置６２は、記録再生装置の動作情報６５を含む電子メールを、電子メール送受信装置６１に送信することによって、コンテンツを記憶するような予約が完了したことや、記憶が終了したことや、予約の状況を電子メール送受信装置６１に通知することができるというものである。
【先行技術文献】
【特許文献】
【０００５】
【特許文献１】特開平１０−２４７３４５号公報
【発明の概要】
【発明が解決しようとする課題】
【０００６】
しかし、特開平１０−２４７３４５号公報に開示されたものでは、記憶再生装置６２が、遠隔地から制御されるだけではなく、利用者が直接自宅で記録再生装置６２を操作して、ある時間にコンテンツの記憶を行うように設定することも可能である。従って、遠隔地から行った記憶予約時間と、利用者が自宅で行った記憶予約時間が重なってしまう可能性があり、このような場合はどちらの記憶を優先させるかを電子メール等を用いて記録再生装置６２が利用者に問い合わせる必要があった。また、以前に電子メールを用いて遠隔録画予約処理を行った録画時間と重なっている場合も考えられ、この場合もどちらの記憶を優先させるかを電子メール等を用いて記録再生装置６２から利用者に問い合わせる必要があった。
【０００７】
しかし、電子メールは配信に時間がかかってしまったり、利用者が電子メールをすぐには読まなかったりする可能性があるため、問い合わせに時間がかかってしまい、記録再生装置６２は結局どちらの予約を優先させるか判断がつかなくなって記憶エラーになってしまったり、どちらの記憶も行われないということが起きる可能性があった。
【０００８】
また、記録再生装置６２は電子メールの送信機能を持っているので、たとえ予約時間が重なっていても、電子メール送受信装置６１に記憶予約時間を変更するように問い合わせるようにすることが可能であったが、電子メールの送信機能を持っていない記憶再生装置６２であったならば、そもそも電子メールを送信することができないため問い合わせることもできない。
【０００９】
そこで本発明は、特開平１０−２４７３４５号公報に開示されたものの問題点を解決すること、つまり、遠隔操作で録画予約を行った時間と自宅で行った録画予約の時間が重なっていたとしても、記録再生装置で録画予約時間を自動的に変更することによって、録画予約時間が重複しないように処理を行う録画予約の遠隔操作に対応したコンテンツ記憶装置を提供することを目的とする。
【課題を解決するための手段】
【００１０】
第１の技術手段は、放送情報を記憶する放送情報記憶手段と、放送情報の記憶予約処理手段と、電子メール受信手段とを備え、前記記憶予約処理手段は、放送情報の記憶予約の入力に対応し、少なくとも該記憶予約における記憶開始時刻と記憶終了時刻を記憶予約情報として登録し、該登録に従って入力される記憶予約された放送情報に係る番組を前記放送情報記憶手段に記憶するコンテンツ記憶装置であって、さらに、前記記憶予約処理手段は、前記電子メール受信手段が受信した電子メールに含まれる放送情報の記憶予約の入力において、該記憶予約における記憶開始時刻から記憶終了時刻までの記憶時間帯の全てが既に登録されている記憶予約情報の時間帯と重複する場合、当該電子メールに係る記憶予約の入力を記憶予約情報として登録しないことを特徴とする。
【００１１】
第２の技術手段は、放送情報を記憶する放送情報記憶手段と、放送情報の記憶予約処理手段と、電子メール受信手段とを備え、前記記憶予約処理手段は、放送情報の記憶予約の入力に対応し、少なくとも該記憶予約における記憶開始時刻と記憶終了時刻を記憶予約情報として登録し、該登録に従って入力される記憶予約された放送情報に係る番組を前記放送情報記憶手段に記憶するコンテンツ記憶装置であって、前記記憶予約処理手段は、さらに、前記電子メール受信手段が受信した電子メールに含まれる放送情報の記憶予約の入力において、該記憶予約における記憶開始時刻から記憶終了時刻までの記憶時間帯の一部分が既に登録されている記憶予約情報の時間帯と重複している場合、当該電子メールに係る記憶予約の時間帯を前記重複している部分の時間帯を除いた時刻の記憶予約情報として登録することを特徴とする。
【発明の効果】
【００１２】
本発明によれば、コンテンツ記憶装置を電子メールを送信して遠隔地から記録予約操作することができ、また遠隔操作で記録予約を行った時間と自宅で行った記録予約の時間が重なっていたとしても、記録再生装置で記録予約時間を自動的に変更することによって、記録予約時間が重複しないように処理を行うことができる。
また、コンテンツ記憶装置が電子メールを送信できず、利用者にどちらの記憶予約を優先させるか問い合わせることができなくても記憶処理を正確に行うことができ、またコンテンツ記憶装置が利用者にどちらの記憶予約を優先させるか問い合わせるメールを利用者に送信することができなくても正確に記憶処理を行うことができる。
【図面の簡単な説明】
【００１３】
【図１】本発明の実施例によるコンテンツ記憶装置遠隔操作システムの外観を示す図である。
【図２】電子メール送受信装置の構成を示すブロック図である。
【図３】電子メール送受信装置のメール送信時の処理を示すフローチャートである。
【図４】電子メールのフォーマットを示す図である。
【図５】電子メールのフォーマットに従って作成した電子メールの例を示す図である。
【図６】コンテンツ記憶装置の構成を示すブロック図である。
【図７】コンテンツ記憶装置の記憶予約を自宅で行ったときの処理を示すフローチャートである。
【図８】予約情報記憶手段に予約情報が記憶されている様子（その１）を示す図である。
【図９】予約情報記憶手段に予約情報が記憶されている様子（その２）を示す図である。
【図１０】予約情報記憶手段に予約情報が記憶されている様子（その３）を示す図である。
【図１１】予約情報記憶手段に予約情報が記憶されている様子（その４）を示す図である。
【図１２】コンテンツ記憶装置が記憶予約処理命令を含んだ電子メールを受信したときの処理を示すフローチャートである。
【図１３】記憶予約処理を示すフローチャートである。
【図１４】従来の記録再生装置遠隔操作システムを示す概念図である。
【発明を実施するための形態】
【００１４】
以下、本発明の実施の形態を図１〜図１４に示す実施例に基づいて説明する。ユーザが電子メール等の通信手段を用いて番組記憶装置から離れた遠隔地から遠隔操作により記憶すべきコンテンツを選択して記憶予約を行なう場合の例である。なお、コンテンツとしては、有線放送などの音楽・地上波や衛星放送、ＣＳ放送、有線放送等で送られてくるテレビ映像と音声、ラジオ放送等の放送情報の番組であるが、以下の実施例は、コンテンツを地上波テレビ番組として実施したときの例である。
【００１５】
図１は、実施例のコンテンツ記憶装置遠隔操作システムの外観を示す図である。
コンテンツ記憶装置遠隔操作システム１０は、電子メール送受信装置１１と通信回線１３を通じて結ばれたコンテンツ記憶装置１２から構成されている。
電子メール送受信装置１１は、少なくとも電子メール送信機能を有したパーソナルコンピュータで実現可能である。
コンテンツ記憶装置１２は、コンテンツがテレビ番組であると仮定するならば、テレビ放送電波を受信するチューナと、電子メール受信機能を有したパーソナルコンピュータで実現可能である。
また、通信回線１３は、インターネットが現状において最も一般的に実現可能である。
電子メール送受信装置１１は、コンテンツ記憶装置１２へ通信回線１３を介してコンテンツ記憶予約の操作情報１４を含んだ電子メールの送信を行う。
【００１６】
まず、電子メール送受信装置について説明する。
図２は、利用者が遠隔地から操作することによって、コンテンツ記憶装置１２に電子メールによって、記憶予約命令を与えることが可能である電子メール送受信装置１１のブロック図を示しており、パーソナルコンピュータ（ＰＣ）で代表されるコンピュータシステムで実現させた例である。
電子メール送受信装置１１の構成要素は、各構成要素の演算の制御及び電子メール送受信装置１１全体の制御を行う中央処理装置２０、モデムに代表されるようなデータを電気信号としてコンテンツ記憶装置１２に送信する通信手段１７、ディスプレイに代表される表示手段１８、キーボードやマウスに代表される入力手段１９、ハードディスク等に代表される記憶手段１６、ＲＯＭ、ＯＳローダ等１５から構成されている。
また、記憶手段１６は、ＯＳ（Operating System ）１６１、作成された電子メールをコンテンツ記憶装置１２に送信する処理を行う電子メール送信手段１６２、電子メールを作成する処理を行う電子メール作成手段１６３から構成されている。
【００１７】
電子メール送受信装置１１の電源が投入されたとき、まずＲＯＭ１５内に存在するＯＳローダが起動し、記憶手段１６上に存在するＯＳ１６１が展開される。
次に、記憶手段１６上に展開されたＯＳ１６１が起動し、利用者が入力手段１９を用いて入力した命令にあわせて各手段が起動される。
【００１８】
図３は、利用者が入力手段１９を利用して電子メール送信処理命令を出力した時の各構成要素の処理の様子を示すフローチャートである。以下、このフローチャートについて説明する。
（ステップ１１）利用者によって入力手段１９が選択され、メール作成命令が出力されたかを監視する。メール作成命令が出力されればステップ１２へ、出力されなければステップ１１でそのまま監視を続ける。
（ステップ１２）メール作成手段１６３が起動する。
（ステップ１３）利用者が入力手段１９を利用することで、メールのフォーマットを入力する。
（ステップ１４）メール送信手段１６２によって、メールがコンテンツ記憶装置１２に送信される。このとき送信される電子メールは、モデム等の通信手段１７によって、データを電気信号として変換し、通信回線１３を通じてコンテンツ記憶装置１２に送信される。
なお、ステップ１３で利用者が入力する電子メールのフォーマットの一例を図４に示す。電子メールは、利用者を識別するための利用者ＩＤ２１、利用者が不正な者であるかどうかを判断するためのパスワード２２、記憶を開始する日付を示す記憶開始日２３、記憶を開始する時間を示す記憶開始時間２４、記憶を終了するための終了時間を示す記憶終了時間２５、記憶をするチャンネルを示す記憶チャンネル２６から構成されている。
【００１９】
図４は、図４に示した電子メールのフォーマットに従って、実際に作成した電子メールの例を示している。図５で、図４と番号が同じ項目は、同様の項目を示している。
電子メールには図４のフォーマットにコンテンツ記憶装置１２の宛先を表す電子メールアドレス２７、この電子メールのタイトル２８が付加されており、コンテンツ記憶装置１２は、電子メールのタイトル２８がこの例のように“記憶予約メール”となっていれば、この電子メールは記憶予約のための操作情報１４を含んだ電子メールであると解釈し、本電子メールを解釈して記憶予約を実行することになる。
また、この電子メールは、利用者ＩＤ２１が“ｈｓｋｅｉ１５３”、パスワード２２が“１２３４”、記憶開始日２３が、“２０００年３月２１日”、記憶開始時間２４が、“２０：００”、記憶終了時間２５が、“２１：００”、記憶チャンネル２６が“４”である。
【００２０】
次に、コンテンツ記憶装置１２について説明する。
図６は、電子メール送受信装置１１から送信されてきた操作情報１４を含んだ電子メールを受信することによって、記憶予約の処理を実行することが可能であるコンテンツ記憶装置１２のブロック図を示しており、これをパーソナルコンピュータ（ＰＣ）で代表されるコンピュータシステムで実現させた例である。
コンテンツ記憶装置１２の構成要素は、テレビ放送電波を受信するアンテナ４０、アンテナ４０で受信したテレビ放送電波の中から特定のチャンネル（周波数）の電波を抽出するチューナ部３１、チューナ部３１で抽出したテレビ放送電波の中から放送映像音声を抽出する放送映像音声抽出手段３２、モデムに代表される通信回線１３を通じて送られてきた電気信号を受信する通信手段３３、ＯＳ、ローダ等３４、各装置間の演算の処理を司る中央処理装置３５、マウスやキーボードに代表される入力手段３６、ＲＡＭに代表される第１記憶手段３７、ＲＯＭに代表される第２記憶手段３８、現在時刻を刻んだり、時間の経過の監視を行う時計機能手段３９から構成されている。
【００２１】
第１記憶手段３７は、現在記憶予約されているコンテンツのリスト（図８）を記憶している予約情報記憶手段３７１、コンテンツ記憶装置１２を利用することが許されている利用者の利用者ＩＤやパスワードを記憶している利用者ＩＤ、パスワード記憶手段３７２、放送映像音声抽出手段３２によって抽出されたコンテンツを記憶するコンテンツ記憶部３７３から構成されている。
なお、予約情報記憶手段３７１には、図８で示されるように、記憶予約されたコンテンツが予約日と記憶開始時刻が早い順に並んでおり、記憶予約したコンテンツの予約日、記憶開始時刻、記憶終了時刻、放送チャンネルが格納されている。
【００２２】
第２記憶手段３８は、予約情報記憶手段３７１に記憶予約を行うコンテンツの情報である予約日、記憶開始時刻、記憶終了時刻、放送チャンネルを格納する記憶予約処理手段３８１、メールを受信するメール受信手段３８２、受信したメール情報の解釈を行うメール情報解釈手段３８３、記憶予約するコンテンツが同じ時刻に２つ以上重複していないかを判断する重複予約チェック手段３８４、コンテンツの記憶の開始処理を行う記憶開始手段３８５、コンテンツ記憶部３７３にコンテンツを記憶する処理を行う記憶処理実行手段３８６、コンテンツの記憶の終了処理を行う記憶終了手段３８７、ＯＳ（Operating System ）３８８から構成されている。
【００２３】
時計機能手段３９は、現在の年月日時刻を記憶している年月日時刻記憶部３９１、ある時間だけカウントすることができるタイマ３９２から構成されている。
また、入力手段３６は、少なくとも利用者が選択することで記憶予約をするための指示を出力することができる記憶予約指示選択手段３６１、数字を入力することが可能なテンキー３６２から構成されている。
【００２４】
コンテンツ記憶装置１２の電源が投入されたとき、まず、ＯＳローダ３４が起動し、第２記憶手段３８上に存在するＯＳ３８８が第１記憶手段（ＲＡＭ）３７上に展開される。次に、第１記憶手段（ＲＡＭ）３７上に展開されたＯＳが起動し、各処理手段の起動が開始されることとなる。
コンテンツ記憶装置１２は、記憶予約を行う操作情報１４を含んだ電子メールを受信して記憶予約処理を行うことが可能であるだけではなく、利用者が自宅で直接コンテンツ記憶装置１２を操作して記憶予約処理を行うことができる。
【００２５】
以下、図７に示すフローチャートに基づいて、利用者が自宅で記憶予約処理を行ったときの処理について説明する。
（ステップ２１）利用者が記憶予約指示選択手段３６１を選択したかどうか判断する。選択したときにはステップ２２へ、選択しなければ続けてステップ２１で処理を続ける。
（ステップ２２）記憶予約処理手段３８１が起動する。
（ステップ２３）利用者がテンキー３６２を利用して入力した記憶予約情報（予約日、記憶開始時刻、記憶終了時刻、チャンネル）を予約情報記憶手段３７１に格納する。例えば、利用者が「２０００年３月２２日に９時１０分から９時２０分まで６チャンネルを記憶せよ」と入力したならば、この情報は図９のＮｏ４で表されているように格納する。
【００２６】
（ステップ２４）重複予約チェック手段３８４が起動する。
（ステップ２５）ステップ２４で起動した重複予約チェック手段３８４は、予約情報記憶手段３７１を参照して、記憶予約時間が重複している項目があるかどうかを判断する。全く重複していなければＣの処理（記憶予約処理）を行う。すべて重複していればステップ２６へすすみ、一部重複していればステップ２８へ進む。
ここで、「まったく重複していない」、「すべて重複している」、「一部重複している」の概念を説明すると、
１）図８で示されるように、記憶予約を設定した各コンテンツの記憶日時が全く異なっていれば全く重複していないと考える。
２）図９で、今Ｎｏ４の記憶予約を設定したとすると、Ｎｏ４の記憶予約時間はＮｏ３の記憶予約時間の中にすべて含まれているので、このような場合はすべて重複していると考える。
３）図１０で、今Ｎｏ４の記憶予約を設定したとすると、Ｎｏ４の記憶予約時間は、Ｎｏ３の記憶予約時間と一部重複している（９：００〜９：２０までが重複している）ので、このような場合は一部重複していると考える。
【００２７】
（ステップ２６）すべて重複しているならばステップ２７に進む。
（ステップ２７）記憶予約処理手段３８１は、新しく設定した記憶予約情報を削除してＣの処理（記憶予約処理）を行う。ここで、新しく設定した記憶予約情報を削除するという処理とは、図９でＮｏ３の記憶予約時間とすべて重複しているＮｏ４の記憶予約を削除するという処理である。Ｎｏ４の記憶予約を削除することによって、予約情報記憶手段３７１には図８で示されているような情報が記憶されていることとなる。
（ステップ２８）一部重複しているならばステップ２９に進む。
（ステップ２９）記憶予約処理手段３８１は、重複しないように開始時刻、終了時刻を修正し、その後Ｃの処理（記憶予約処理）を行う。
ここで、重複しないように開始時刻、終了時刻を修正するという処理は、図１０で新しく予約を行ったＮｏ４の記憶予約時間がＮｏ３の記憶予約時間に重ならないように、記憶予約時間を変更するという処理である。
【００２８】
図１０では、Ｎｏ４の記憶予約時間がＮｏ３の記憶予約時間に９時から９時２０分まで重なっているので、この時間帯の記憶予約を削除して、新しい記憶予約時間として、８時から９時までに変更を行う。
図１１は、変更を行った後の予約情報記憶手段３７１の様子を示した図である。変更後はＮｏ３の記憶予約時間とＮｏ４の記憶予約時間が全く重なっておらず、かつ、後から記憶予約を行ったＮｏ４が他の予約時間と重ならない時間帯はすべて記憶予約するように予約時間が変更されている。
以上のように、図７の処理が利用者が自宅で記憶予約処理を行ったときの動作である。
【００２９】
次に、図１２に示すフローチャートに基づいて、コンテンツ記憶装置１２が記憶予約を行うような操作情報４４を含んだ電子メールを受信したときの処理について説明する。
（ステップ３１）メール受信手段３８２が起動する。なお、起動するタイミングは、一定時間おきにタイマによって管理して自動的に起動するように処理を行うことが考えられる。
（ステップ３２）メール受信手段３８２は、メールを受信する。
（ステップ３３）メール受信手段３８２は、メールタイトルが“記憶予約メール”となっているメールが存在するかどうかを判断する。存在すればステップ３４へ進み、存在しなければ終了する。
（ステップ３４）メール情報解釈手段３８３が起動する。
（ステップ３５）メール情報解釈手段３８３は、受信した電子メールの利用者ＩＤ、パスワードを読み込んで、利用者ＩＤ、パスワード記憶手段３７２に記憶されている情報と比較して正しいかどうかを判断する。正しければ、ステップ３６に進み、正しくなければ不正な電子メールが送信されてきたということになるため終了する。
【００３０】
（ステップ３６）メール情報解釈手段３８３は、受信した電子メールの予約日、記憶開始時間、記憶終了時間、記憶チャンネルを読み込む。
（ステップ３７）記憶予約処理手段３８１が起動する。
（ステップ３８）ステップ３７で受信した電子メールの予約日、記憶開始時間、記憶終了時間、記憶チャンネルを読み込んだメール情報解釈手段３８３は、記憶予約処理手段３８１にこれらの情報を渡し、この情報を渡された記憶予約処理手段３８１は、予約情報記憶手段３７１これらの情報を格納する。
【００３１】
（ステップ３９）重複予約チェック手段３９４が起動する。
（ステップ４０）ステップ３９で起動した重複予約チェック手段３９４は、予約情報記憶手段３７１を参照して、記憶予約時間が重複している項目があるかどうかを判断する。全く重複していなければ後述のＣの処理（記憶予約処理）を行う。すべて重複していればステップ７１へすすみ、一部重複していればステップ４３へ進む。
ここで、「全く重複していない」、「すべて重複している」、「一部重複している」の概念を再度説明すると、
１）図８で示されるように、記憶予約を設定した各コンテンツの記憶日時が全く異なっていれば全く重複していないと考える。
２）図９で今Ｎｏ４の記憶予約を行うような電子メールを受信して、その情報が格納されているとすると、Ｎｏ４の記憶予約時間は、Ｎｏ３の記憶予約時間の中にすべて含まれているので、このような場合はすべて重複していると考える。
３）図１０で今Ｎｏ４の記憶予約を行うような電子メールを受信して、その情報が格納されているとすると、Ｎｏ４の記憶予約時間は、Ｎｏ３の記憶予約時間と一部重複している（９：００〜９：２０までが重複している）ので、このような場合は一部重複していると考える。
【００３２】
（ステップ４１）すべて重複しているならばステップ４２に進む。
（ステップ４２）記憶予約処理手段３８１は、新しく設定した記憶予約情報を削除してＣの処理（記憶予約処理）を行う。
ここで、新しく設定した記憶予約情報を削除するという処理は、図９でＮｏ３の記憶予約時間とすべて重複しているＮｏ４の記憶予約を削除するという処理である。Ｎｏ４の記憶予約を削除することによって、予約情報記憶手段３７１には図８で示されているような情報が記憶されていることとなる。
【００３３】
（ステップ４３）一部重複しているならばステップ４４に進む。
（ステップ４４）記憶予約処理手段３８１は、重複しないように開始時刻、終了時刻を修正する。その後、Ｃの処理（記憶予約処理）を行う。
ここで、重複しないように開始時刻、終了時刻を修正するという処理は、図１０で新しく予約を設定したＮｏ４の記憶予約時刻がＮｏ３の記憶予約時間に重ならないように、記憶予約時間を変更するという処理である。図１０では、Ｎｏ４の記憶予約時間がＮｏ３の記憶予約時間に９時から９時２０分まで重なっているので、この時間帯の記憶予約を削除して、新しい記憶予約時間として、８時から９時までに変更を行う。図１１は、変更を行った後の予約情報記憶手段３７１の様子を示した図である。変更後はＮｏ３の記憶予約時間とＮｏ４の記憶予約時間が全く重なっておらず、かつ、あとから記憶予約を行ったＮｏ４が他の予約時間と重ならないようになっている。
【００３４】
以上のように、図１２に示されたフローチャートの処理を行うことで、電子メールによって記憶予約を行った場合に、記憶予約時間が先に記憶予約を行った時間帯と一部もしくはすべて重複していたとしても、全く重ならないように自動的に処理が行われ、電子メールで記憶予約時間の変更を利用者に求める必要がなくなる。
【００３５】
次に、図１３に示すフローチャートに基づいて、予約情報記憶手段３７１に格納された記憶予約情報をもとに実際に記憶処理が行われる時のＣの処理について説明する。
（ステップ５１）記憶開始手段３８５が起動する。
（ステップ５２）記憶開始手段３８５は、予約情報記憶手段３７１を参照して、現在時刻から最も早い予約開始時刻までの時間を算出する。
（ステップ５３）記憶開始手段３８５は、ステップ５２で求めた現在時刻から最も早い予約開始時刻までの時間をタイマ３９２にセットする。
（ステップ５４）タイマ３９２は、ステップ５３でセットされた時間をカウントし、時間をカウントし終わったらステップ５５へ進む。
【００３６】
（ステップ５５）記憶処理実行手段３８６が起動する。
（ステップ５６）記憶処理実行手段３８６は、コンテンツ記憶部３７３にコンテンツを記憶する。
（ステップ５７）記憶終了手段３８７が起動する。
（ステップ５８）記憶終了手段３８７は、予約情報記憶手段３７１を参照して、現在コンテンツ記憶部３７３に記憶中のコンテンツが終了するまでの時間を算出する。
（ステップ５９）記憶終了手段３８７は、ステップ５８で求めた、現在コンテンツ記憶部３７３に記憶中のコンテンツが終了するまでの時間をタイマ３９２にセットする。
（ステップ６０）タイマ３９２は、ステップ５９でセットされた時間をカウントし、時間をカウントし終わったらステップ６１に進む。
（ステップ６１）記憶処理実行手段３８６は、コンテンツをコンテンツ記憶部３７３に記憶する処理を終了し、次の記憶を行うためにステップ５１に戻る。
【００３７】
以上の記載で説明したように、コンテンツ記憶装置に電子メールを送信して放送番組などの記憶予約をする場合に、予約の重複をコンテンツ記憶装置が自動的に排除することができる。
【符号の説明】
【００３８】
１０…コンテンツ記憶装置遠隔操作システム、１１…電子メール送受信装置、１２…コンテンツ記憶装置、１３…通信回線、１４…コンテンツ記憶予約の操作情報、１５…ＲＯＭ、ＯＳ（Operating System ）ローダ、１６…記憶手段、１６１…ＯＳ、１６２…電子メール送信手段、１６３…電子メール作成手段、１７…通信手段、１８…表示手段、１９…入力手段、２０…中央処理装置、３１…チューナ部、３２…放送映像音声抽出手段、３３…通信手段、３４…ＯＳ（Operating System ）、ローダ、３５…中央処理装置、３６…入力手段、３６１…記憶予約指示選択手段、３６２…テンキー、３７…第１記憶手段、３７１…予約情報記憶手段、３７２…利用者ＩＤ、パスワード記憶手段、３７３…コンテンツ記憶部、３８…第２記憶手段、３８１…記憶予約処理手段、３８２…メール受信手段、３８３…メール情報解釈手段、３８４…重複予約チェック手段、３８５…記憶開始手段、３８６…記憶処理実行手段、３８７…記憶終了手段、３８８…ＯＳ、３９…時計機能手段、３９１…年月日時刻記憶部、３９２…タイマ、４０…アンテナ。
【図１】
2009153218.tif 000003
【図２】
2009153218.tif 000004
【図３】
2009153218.tif 000005
【図４】
2009153218.tif 000006
【図５】
2009153218.tif 000007
【図６】
2009153218.tif 000008
【図７】
2009153218.tif 000009
【図８】
2009153218.tif 000010
【図９】
2009153218.tif 000011
【図１０】
2009153218.tif 000012
【図１１】
2009153218.tif 000013
【図１２】
2009153218.tif 000014
【図１３】
2009153218.tif 000015
【図１４】
2009153218.tif 000016